(57)【要約】【課題】葺き土をほとんど使用せず、短時間でより簡単に施工することができる瓦葺き下屋根の傾斜壁際部材及び傾斜壁際構造を提供すること。【解決手段】背面側に垂れ壁８への取付面１２が形成され、正面側に熨斗瓦支承部１３が長さ方向に沿ってほぼ棚状に形成された本体１０と、本体１０の熨斗瓦支承部１３の下部正面側に突出するフランジ部１１とを一体に形成した水平壁際部材１を、垂れ壁８の下屋根７ａから所定量浮上した位置に取り付け、前記水平壁際部材１のフランジ部１１には、面戸瓦２の取付フランジ２０をねじ４で緊結し、前記熨斗瓦支承部１３には、垂れ壁８側の一部を支承させた状態の熨斗瓦３をねじ６で緊結したことを特徴とする。【選択図】　　　　図１
2004011350.tif 000002
【特許請求の範囲】
【請求項１】
背面側に垂れ壁（８）への取付面（１２）が長さ方向に沿って形成され、正面側に熨斗瓦支承部（１３）が長さ方向に連続してほぼ棚状に形成された本体（１０）と、当該本体（１０）の熨斗瓦支承部（１３）の下部正面側に突出するフランジ部（１１）とを一体に形成したことを特徴とする、瓦葺き下屋根の水平壁際部材。
【請求項２】
木材パウダーを配合したプラスチックにより成形された木質材料であることを特徴とする、請求項１に記載の瓦葺き下屋根の水平壁際部材。
【請求項３】
前記熨斗瓦支承部（１３），前記フランジ部（１１）及び底面（１４）は、下屋根（７ａ）の流れ方向に傾斜していることを特徴とする、請求項１又は２に記載の瓦葺き下屋根の水平壁際部材。
【請求項４】
垂れ壁（８）の下屋根（７ａ）から所定量浮上した位置には請求項１〜３のいずれかに記載の水平壁際部材（１）が前記取付面（１２）を垂れ壁（８）に当接させた状態で取り付けられ、前記水平壁際部材（１）のフランジ部（１１）には、面戸瓦（２）の取付フランジ（２０）がねじ（４）で緊結され、前記熨斗瓦支承部（１３）には、垂れ壁（８）側の一部が支承された状態で熨斗瓦（３）がねじ（６）で緊結されていることを特徴とする、瓦葺き下屋根の水平壁際構造。
【請求項５】
前記フランジ部（１１）の下部には下端部が直下の瓦（７）に接触する状態にシール材（９）を取り付けたことを特徴とする、請求項４に記載の瓦葺き下屋根の水平壁際構造。
【発明の詳細な説明】
【０００１】
【発明の属する技術分野】
本発明は、一般的には瓦葺き下屋根の水平壁際部材及びそれを使用した水平壁際構造に関するものである。さらに具体的には、葺き土をほとんど使用しないかあるいは全く使用しない、いわゆる乾式施工用の水平壁際部材及び水平壁際構造に関するものである。
【０００２】
【従来の技術】
瓦葺き屋根における乾式施工構造は、棟構造については種々提案されている（例えば、特開２００１−１５２６１３号公報）が、水平壁際（下屋根の水平な頂部が垂れ壁と接する部分）の施工については提案されていない。
従来の瓦葺き下屋根の水平壁際構造を図３を参照しながら説明する。
下屋根７ａの屋根下地７０は、垂木７１，その上に敷かれた野地板７２，野地板７２の上に葺かれた下葺き材７３及び下葺き材７２の上に水平かつ平行に取り付けられた桟木７４等で構成されている。これらの屋根下地７０の上には、瓦（この形態では桟瓦）７が葺かれており、各瓦７は適数のパッキン付き（頭部下面に不図示のパッキンが取り付けられている）ステンレスねじ等のねじ７５で桟木７４を含む屋根下地７０に固定されている。
下屋根７ａの水平な頂部が垂れ壁８へ接する水平壁際部分には、下葺き材７３の上端部分が垂れ壁８に接した状態で立ち上げられている。壁際の瓦７の上には、取付フランジ２０を垂れ壁８側に向けた状態で面戸瓦２が設置され、この面戸瓦２の内側から取付フランジ２０の壁際寄り部分の上部には、垂れ壁８に達するまで葺き土（練り土）１ａが蜜に盛られている。葺き土１ａは、これに代えてモルタルを使用する場合もある。
葺き土１ａには、壁際側の部分が当該葺き土１ａ内へ一部が埋め込まれた状態で、図示しない緊結線（金属線）により垂れ壁８に緊結された熨斗瓦３（下部の大熨斗瓦上部の小熨斗瓦）が、上下方向に重なって先下がり傾斜する状態に取り付けられている。
そして、葺き土１ａが乾燥した後、当該葺き土１ａの上と最上位の熨斗瓦３の上に跨がるようにモルタル製の捨て板８１を載せ、この捨て板８１の上に被着されている水切り板金８２を外壁８０の内側の垂れ壁８に固定して水切り施工を行っている。
【０００３】
【発明が解決しようとする課題】
図３の水平壁際構造は、水を加えて練った葺き土（又はモルタル）を使用する湿式施工の構造であるので、葺き土１ａの乾燥を待たなければ（乾燥には降雨のない日で２日以上を要す）水切り施工ができず、施工の完了までに長時間かかっていた。
また、壊れた熨斗瓦３の取り替えその他の補修には乾燥している葺き土１ａを部分的に壊さねばならないが、結果的に葺き土１ａが広範囲に壊れるため部分的な補修が困難であるか又は手間がかかっていた。
本発明の目的は、葺き土をほとんど使用せずあるいは全く使用しないで、瓦葺き下屋根の水平壁際を短時間でより簡単に施工することができる水平壁際部材を提供することにある。
本発明の他の目的は、前述の目的が達成される水平壁際部材を使用して、より要領よく施工することができる瓦葺き下屋根の水平壁際構造を提供することにある。
【０００４】
【課題を解決するための手段】
本発明に係る瓦葺き下屋根の水平壁際部材および水平壁際構造は、前述の課題を解決するため以下のように構成したものである。
すなわち、請求項１に記載の瓦葺き下屋根の水平壁際部材は、背面側に垂れ壁８への取付面１２が長さ方向に沿って形成され、正面側に熨斗瓦支承部１３が長さ方向に連続してほぼ棚状に形成された本体１０と、当該本体１０の熨斗瓦支承部１３の下部正面側に突出するフランジ部１１とを一体に形成したことを特徴としている。
【０００５】
請求項２に記載の瓦葺き下屋根の水平壁際部材は、請求項１の水平壁際部材において、木材パウダーを配合したプラスチックにより成形された木質材料であることを特徴としている。
【０００６】
請求項３に記載の瓦葺き下屋根の水平壁際部材は、請求項１又は２の水平壁際部材において、前記熨斗瓦支承部１３，前記フランジ部１１及び底面１４は、下屋根７ａの流れ方向に傾斜していることを特徴としている。
【０００７】
請求項４に記載の瓦葺き下屋根の水平壁際構造は、垂れ壁８の下屋根７ａから所定量浮上した位置には請求項１〜３のいずれかに記載の瓦葺き下屋根の水平壁際部材１が前記取付面１２を垂れ壁８に当接させた状態で取り付けられ、前記水平壁際部材１のフランジ部１１には、面戸瓦２の取付フランジ２０がねじ４で緊結され、前記熨斗瓦支承部１３には、垂れ壁８側の一部が支承された状態で熨斗瓦３がねじ６で緊結されていることを特徴としている。
【０００８】
請求項５に記載の瓦葺き下屋根の水平壁際構造は、請求項４の水平壁際構造において、前記フランジ部１１の下部には下端部が直下の瓦７に接触する状態にシール材９を取り付けたことを特徴としている。
【０００９】
【発明の実施の形態】
以下図１及び図２を参照しながら、本発明に係る瓦葺き下屋根の水平壁際部材及び水平壁際構造の好ましい実施形態を説明する。
第１実施形態
図１は本発明の第１実施形態に係る水平壁際構造の部分断面図である。
【００１０】
この実施形態で使用されている水平壁際部材１は、木材パウダーを配合したプラスチックにより一体に成形されたねじ止め又は釘打ち可能な木質材料であり、所定の長さを有する本体１０と、当該本体１０の下部に正面側へ突出するように形成されたフランジ部１１とから構成されている。この実施形態では、水平壁際部材１のプラスチック材料としてポリメタクリルスチレン樹脂（商品名「エスチレン　ＭＳ−２００」）を用いている。
【００１１】
本体１０には、背面側に長さ方向に沿って垂れ壁８への取付面１２が形成され、正面側に熨斗瓦３の垂れ壁８寄り側の一部を支承する熨斗瓦支承部１３が長さ方向に連続してほぼ棚状に形成されている。熨斗瓦支承部１３は隣接するもの相互が階段状を呈するように複数形成され、上位の熨斗瓦支承部１３の先端部分は、その下位の熨斗瓦支承部１３の庇状部１３ａを形成している。
水平壁際部材１の底面１４及びフランジ部１１は直下の瓦７の傾斜とほぼ適合するように傾斜しており、各熨斗瓦支承部１３は下屋根７ａの流れ方向に傾斜している。
水平壁際部材１の長さは、後述の熨斗瓦３の長さや施工の作業性等を考慮して設計されるが、この実施形態では２０００ｍｍ程度に設計されている。
【００１２】
以上の水平壁際部材１を使用して、瓦葺き下屋根の水平壁際を施工する要領を以下説明する。下屋根７ａの構造は図３の下屋根７ａと同様であるので、同じ符号を付して説明を省略する。
先ず、取付面１２を垂れ壁８へ当接させ、かつ底面１４の正面側寄り部分を屋根に葺かれている瓦７の上に載せた状態で、水平壁際部材１を連続するように並べて当該垂れ壁８へ取り付ける。この取付は、頭部下面へパッキン５０を取り付けたステンレス製のねじ５により、水平壁際部材１を垂れ壁８の面へねじ止めする要領で行う。水平壁際部材１は、前述のように木質材料であるので、ねじ止めに先立ってねじ挿通用の孔を形成する必要はない。
【００１３】
次いで、水平壁際部材１のフランジ部１１に面戸瓦２の取付フランジ２０を重ね、これを頭部下面にパッキン４０を有するステンレス製のねじ４によりフランジ部１１に緊結する。なお各面戸瓦２の取付フランジ２０には、ねじ４を挿通する適数の孔が形成されている。
【００１４】
次に、水平壁際部材１の下段と上段の各熨斗瓦支承部１３へ熨斗瓦３（この実施形態では大熨斗瓦）の垂れ壁８寄り側の部分を支承させた状態で、頭部下面にパッキン６０を有するステンレス製のねじ６により、各熨斗瓦３を連続するように並べながら水平壁際部材１の本体１０へ緊結する。なお熨斗瓦３の所要部分には、ねじ挿通用の孔が形成されている。
各段の熨斗瓦３を連続するように並べて緊結する際、下段の熨斗瓦３とその上段の熨斗瓦３は、それらの当接された端部が互い違いに位置するように並べられる。
【００１５】
水平壁際部材１の材質により、前述のような水平壁際の施工後、上段の熨斗瓦３及び水平壁際部材１の上部の露出部は、特に図３の捨て板８１や水切り板金８２等により水切り施工する必要はないが、念のため図示しない板金などにより水切り施工を施すのが好ましい。
【００１６】
前記実施形態の水平壁際部材によれば、第１に、フランジ部１１及びほぼ棚状の熨斗瓦支承部１３を有するので、瓦葺き下屋根の水平壁際施工を簡単に行うことができる。
第２に、材質が木材パウダーを配合したプラスチックにより成形した木質材料であるので、ねじを使用して垂れ壁８へ簡単に取り付けたり各面戸瓦２や各熨斗瓦３を簡単に緊結することができるほか、防水性に富んでいて腐食せずしかも水平壁際構造の長寿命化が図られる。
第３に、熨斗瓦支承部１３，前記フランジ部１１及び底面１４は、下屋根７ａの流れ方向に傾斜しているので、下屋根７ａの傾斜に適合するように施工するのが容易である。
【００１７】
前記実施形態の瓦葺き下屋根の水平壁際構造によれば、水を加えて練った葺き土をほとんど使用しない乾式施工構造であって、乾燥を待たずに作業を進めることができるので、より短時間で施工することができる。
また、ねじを取り外すことにより、熨斗瓦３の部分的取り替えその他の部分的補修がより簡単に行える。
壁際部材１のフランジ部１１に各面戸瓦２を、各熨斗瓦支承部１３に熨斗瓦３を、それぞれねじで緊結することにより要領よく水平壁際を施工することができる。
【００１８】
第２実施形態
図２は本発明の第２実施形態に係る水平壁際構造の概略端面図である。
水平壁際部材１のフランジ部１１の先端下部には、下向きで溝状のシール材保持部１５が長さ方向に沿って形成され、このシール材保持部１５には、例えばスポンジのような弾力性を有するパッキンからなるシール材９がスカート状に保持されている。シール材９の下端部には、例えばシリコンーンを含浸させるなどにより補強シール部９０を形成するのが好ましい。
前記のようにシール材保持部１５にシール材９を保持させた後に、水平壁際部材１を前述の要領で垂れ壁８に取り付けることにより、シール材９の下端部を直下の瓦７の上面に押し付け状に接触させ、面戸瓦２の下端部と瓦７の上面との隙間から雨水が侵入するのを防止している。
この実施形態の水平壁際構造は、降雨の際に風が強い地方であるか、又は下屋根７ａの傾斜が緩慢である等の事情により、面戸瓦２の下から水平壁際部材１の下部空間へ雨水が侵入し易い場合に適する。
第２実施形態の水平壁際構造の他の構成や作用，効果は、第１実施形態の水平壁際構造とほぼ同様であるのでそれらの説明は省略する。
【００１９】
その他の実施形態
本発明に係る水平壁際部材において、フランジ部１１，熨斗瓦支承部１３及び底面１４は、前述のように施工の容易性のために下屋根７ａの流れ方向へ傾斜しているのが好ましいが、施工が困難になるはけではないのでこれらは水平であっても差し支えない。
前記実施形態の水平壁際部材１には、当該部材１の奥行き（図１，図２の左右方向の量）をできるだけ小さくして上段の熨斗瓦支承部１３の奥行きを大きくするため、上段の熨斗瓦支承部１３の先端部が下段の熨斗瓦支承部１３の庇状部１３ａを形成するように構成したものであるので、前記庇状部１３ａは不可欠の構成ではない。
前記第２実施形態では、水平壁際部材１のフランジ部１１へ下向きで溝状のシール材保持部１５を形成したが、シール材９はフランジ部１１へ接着その他の手段によって取り付けることができるから、シール材９を取り付ける施工に使用する壁際部材１であっても、シール材保持部１５は必須の構成部分ではないし、また、その断面形状は前述のように溝状でなくてもよい。
【００２０】
本発明に係る水平壁際構造において、最下段の熨斗瓦３を水平壁際部材１へ緊結する際及び上段の熨斗瓦３を緊結する際には、それらの熨斗瓦３の姿勢を安定させるため、面戸瓦２の取付フランジ２０の上や下段の熨斗瓦３の上に枕状に練り土又はモルタルを適量盛り、その上に対応する熨斗瓦３を載せるように施工することができる。
【００２１】
【発明の効果】
請求項１の発明に係る瓦葺き下屋根の水平壁際部材によれば、フランジ部１１及びほぼ棚状の熨斗瓦支承部１３を有するので、瓦葺き下屋根の水平壁際を簡単に施工することができる。
【００２２】
請求項２の発明に係る瓦葺き下屋根の水平壁際部材によれば、材質が木材パウダーを配合したプラスチックにより成形した木質材料であるので、ねじを使用して垂れ壁８に対して簡単に取り付けたり、各面戸瓦２や各熨斗瓦３を簡単に緊結することができるほか、防水性に富んでいて腐食せずしかも水平壁際構造の長寿命化を図ることができる。
【００２３】
請求項３の発明に係る瓦葺き下屋根の水平壁際部材によれば、熨斗瓦支承部１３，前記フランジ部１１及び底面１４は、下屋根７ａの流れ方向に傾斜しているので、下屋根７ａの傾斜に適合するように施工するのが容易である。
【００２４】
請求項４の発明に係る瓦葺き下屋根の水平壁際構造によれば、水を加えて練った葺き土をほとんど使用しないか全く使用しない乾式施工構造であって、乾燥を待たずに全部の作業を進めることができるので、より短時間で施工することができる。
また、ねじを取り外すことにより、熨斗瓦３の部分的取り替えその他の部分的補修がより簡単に行える。
壁際部材１のフランジ部１１に各面戸瓦２を、各熨斗瓦支承部１３に熨斗瓦３を、それぞれねじで緊結することにより要領よく水平壁際を施工することができる。
【００２５】
請求項５の発明に係る瓦葺き下屋根の水平壁際部材によれば、面戸瓦２とその下に葺かれている瓦７との間の防水が良好になり、面戸瓦２の下から水平壁際部材１の下部空間へ雨水が侵入し易い場合に適する。
【図面の簡単な説明】
【図１】本発明の第１実施形態に係る瓦葺き下屋根の水平壁際構造を示す部分断面図である。
【図２】本発明の第２実施形態に係る水平壁際構造の概略端面図である。
【図３】従来の瓦葺き下屋根の水平壁際構造を示す部分断面図である。
【符号の説明】
１　水平壁際部材
１０　本体
１１　フランジ部
１２　取付面
１３　熨斗瓦支承部
１３ａ　庇状部
１４　底面
１５　シール材保持部
２　面戸瓦
２０　取付フランジ
３　熨斗瓦
４，５，６，７５　ねじ
４０，５０，６０　パッキン
７　瓦
７０　屋根下地
７１　垂木
７２　野地板
７３　下葺き材
７４　桟木
８　垂れ壁
８０　外壁
８１　捨て板
８２　水切り板金
９　シール材
９０　補強シール部
【図１】
2004011350.tif 000003
【図２】
2004011350.tif 000004
【図３】
2004011350.tif 000005